(57)【要約】【課題】植生空間を形成可能であり、高い強度を有するコンクリートブロック及び該コンクリートブロックにより構築された擁壁を提供する。【解決手段】前方部１１０と該前方部１１０の背後に設けられた控え部１２０とを有する擁壁構築用のコンクリートブロック１００であって、前方部１１０は、外周縁の一部に切り欠き部１１３が形成された表面部１１１と、表面部１１１の後方に位置する後背部１１２とを備え、当該切り欠き部１１３には植生土Ｐが保持される溝部１１５が形成されていることを特徴とする。擁壁２００は当該コンクリートブロック１００によって構築される。【選択図】図１
2011163040.tif 000002
【特許請求の範囲】
【請求項１】
前方部と該前方部の背後に設けられた控え部とを有する擁壁構築用のコンクリートブロックであって、
前記前方部は、擁壁の外面を構成し、外周縁の一部に切り欠き部が形成された表面部と、前記表面部の後方に位置する後背部とを備え、
前記切り欠き部には、植生土が保持される溝部が形成されていることを特徴とするコンクリートブロック。
【請求項２】
前記溝部が断面視略Ｖ字形に形成されていることを特徴とする請求項１に記載のコンクリートブロック。
【請求項３】
前記溝部が、前記前方部の平面方向に２．５ｍｍから２０ｍｍの深さを有することを特徴とする請求項１又は２に記載のコンクリートブロック。
【請求項４】
前記表面部が対称性のない不規則な形状になるように、前記表面部の前記外周縁に前記切り欠き部が形成されていることを特徴とする請求項１乃至３のいずれか１項に記載のコンクリートブロック。
【請求項５】
請求項１乃至４のコンクリートブロックを積み上げて構築される擁壁であって、互いに隣接する前記コンクリートブロックの間には、切り欠き部によって植生空間又は生物生息空間のための隙間部が形成されることを特徴とする擁壁。
【請求項６】
前記表面部の外周縁の一部がそれぞれ接するように前記コンクリートブロックが隣接して配置されることにより、前記隙間部が隣接する前記コンクリートブロック間に非連続的に形成されることを特徴とする請求項５に記載の擁壁。
【発明の詳細な説明】
【技術分野】
【０００１】
本発明は、コンクリートブロック間の隙間に土などを堆積させて植生空間又は生物棲息空間を提供し、擁壁を緑化するためのコンクリートブロック及び該コンクリートブロックにより構築された擁壁に関する。
【背景技術】
【０００２】
従来、多角形状の前方部及び控え部を有するコンクリートブロックを法面に沿って積み上げることで、擁壁の構築が行われている。
【０００３】
このようなコンクリートブロックとしては、特許文献１に記載されるとおり、前方部（２）と、その背面から後方に延在する控え部（３）とを有し、前方部（２）の表面の一部に、装飾用の切り欠き部（４）を形成したブロック（１）が提案されている（特許文献１の図１参照）。このブロック（１）では、積み上げて擁壁を構築したときに、互いに隣接する切り欠き部（４）により窪み部（５）が形成される（特許文献１の図５参照）。そこでこの窪み部（５）に植生土などを投入すること、又は、河川内においては流水とともに流れる土砂を堆積することで植生の促進を図ることも可能である。しかし、窪み部（５）に植生をつめても、再度、流水により流出することもあり、土質の保持力の低さにより植生を根付かせることが困難である。
【０００４】
他方、植生促進をより効果的に行うことを目的として、控体（１）と、控体（１）とは別体の深目地形成体（２）とからなる多自然型積みブロックが提案されている（特許文献２）。深目地形成体（２）は、所定の間隙（４）を有するように控体（１）より外周が小さく形成され、且つ、深目地形成体（２）の表面側（２ａ）から控体側（２ｂ）に向かうに従い外径が小さくなるように、テーパー状に形成されている（特許文献２の図２参照）。これにより、隣接する深目地形成体（２）間に、植生に必要十分な容量を有する棲息空隙（５）が形成され、当該空隙（５）に植生土などを充填して、植生空間又は生物棲息空間を形成できるようにしている（特許文献２の図１０参照）。
【先行技術文献】
【特許文献】
【０００５】
【特許文献１】特開２００２−６１２０８号公報
【特許文献２】特開２００３−１７１９２４号公報
【発明の概要】
【発明が解決しようとする課題】
【０００６】
しかしながら、特許文献２の積みブロックは、控体（１）と深目地形成体（２）との間に植生土のための空隙（５）を備えるが、空隙（５）に充填された植生土が擁壁の前面から外へ及び上から下へと流出することを防止する構造を備えておらず、植生土が河川内における流水などに曝されて擁壁から流出し易いという不都合があった。それ故、当該ブロックでは、必要な植生土を保持するために空隙（５）の容量を大きくしなければならない。そうすると、空隙（５）を広げて深目地形成体（２）を占める肉薄部分の割合を大きくしなければならず、ブロックの強度、即ち、擁壁の強度を確保できないという問題がある。
【０００７】
そこで、本発明は、隣接するコンクリートブロック間に必要十分な植生空間が形成可能であって、且つ、高い強度を備えるコンクリートブロック、及び、該コンクリートブロックにより構築された擁壁を提供することにある。
【課題を解決するための手段】
【０００８】
請求項１に記載のコンクリートブロックは、前方部と該前方部の背後に設けられた控え部とを有する擁壁構築用のコンクリートブロックであって、
前記前方部は、擁壁の外面を構成し、外周縁の一部に切り欠き部が形成された表面部と、前記表面部の後方に位置する後背部とを備え、
前記切り欠き部には、植生土が保持される溝部が形成されていることを特徴とする
【０００９】
請求項２に記載のコンクリートブロックは、請求項１のコンクリートブロックであって、前記溝部が断面視略Ｖ字形に形成されていることを特徴とすることを特徴とする。
【００１０】
請求項３に記載のコンクリートブロックは、請求項１又は２のコンクリートブロックであって、前記溝部が、前記前方部の平面方向に５ｍｍから２０ｍｍの深さを有することを特徴とする。
【００１１】
請求項４に記載のコンクリートブロックは、請求項１のコンクリートブロックであって、  前記表面部が対称性のない不規則な形状になるように、前記表面部の前記外周縁に前記切り欠き部が形成されていることを特徴とする。
【００１２】
請求項５に記載の擁壁は、請求項１乃至４のコンクリートブロックで構築される擁壁であって、隣接する前記コンクリートブロックの間には、前記切り欠き部によって植生空間又は生物生息空間のための隙間部が形成されることを特徴とすることを特徴とする。
【００１３】
請求項６に記載の擁壁は、請求項５の擁壁であって、前記表面部の外周縁の一部がそれぞれ接するように前記コンクリートブロックが隣接して配置されることにより、前記隙間部が隣接する前記コンクリートブロック間に非連続的に形成されることを特徴とする。
【発明の効果】
【００１４】
請求項１に記載の発明によれば、本発明のコンクリートブロックで擁壁を構築した場合、表面部に形成された切り欠き部が植生空間のための隙間部となる。当該隙間部に植生土を充填した場合や自然堆積した場合には、溝部が植生土を取り込み保持することで隙間部への植生土の堆積を促進する。また、溝部内に保持された植生土は河川内での流水などに曝されることがないので、擁壁から流出せずに保持される。即ち、隙間部の容量が小さくても必要十分な植生土を保持することができる。さらに、表面部を肉厚にすることができるので、植生空間を形成しながらも高い強度を備えた擁壁を構築することができる。
【００１５】
また、切り欠き部を表面部の外周縁の一部に形成したことにより、表面部の側壁において切り欠き部に比べて相対的に隆起する堰止め部が外周縁の他の部分に形成される。当該コンクリートブロックで擁壁が構築されたときに、擁壁の上から下へ流れ落ちる植生土を堰止め部が堰き止め、植生土の流出を抑止することができる。
【００１６】
請求項２に記載の発明によれば、溝部が略断面視Ｖ字形に形成されることで、溝部の開口部から奥に向かうほど幅が狭くなっていき、一度、植生土等が入り込むと再度そこから流出することを防止することができるような構造となっている。
【００１７】
請求項３に記載の発明によれば、請求項１の発明と同様に、必要な植生空間を保持しつつ、高いブロック強度を確保することができる。
【００１８】
請求項４に記載の発明によれば、表面部が対称性のない不規則な形状になるように、切り欠き部が形成されていることにより、当該コンクリートブロックを右向き、左向き、上下反転等のランダムに積んで擁壁を構築することで、多様な形状を造りだすことができ、擁壁をより自然に近い状態とすることができる。即ち、自然石積み状の擁壁を構築することができる。
【００１９】
請求項５に記載の発明によれば、請求項１乃至４に係る発明と同様に、植生空間を保持しつつ、高い強度を備える擁壁を提供する。
【００２０】
請求項６に記載の発明によれば、請求項５に係る発明の効果に加え、外周縁の一部がそれぞれ接するように、即ち、堰止め部同士が接するようにコンクリートブロックが隣接して配置され、隙間部が隣接する前記コンクリートブロック間に非連続的に形成されることにより、堰止め部が擁壁の上から下へ流れ落ちる植生土を堰き止めることができる。また、隙間部の幅が狭まっていくにつれて、ブロック前面に実質的に開口を有さないポケット部が溝部によって形成される。植生土を最小のポケット部に閉じ込め、流出を防止することができる。
【図面の簡単な説明】
【００２１】
【図１】本発明のコンクリートブロックの一実施形態の全体斜視図。
【図２】本発明のコンクリートブロックの一実施形態の、（ａ）は平面図、（ｂ）は正面図、（ｃ）は側面図。
【図３】（ａ）は、図２（ｂ）のコンクリートブロックにおけるＡ−Ａ拡大断面図、（ｂ）は、図２（ｂ）のコンクリートブロックにおけるＢ−Ｂ拡大断面図。
【図４】本発明の擁壁の一実施形態の正面図。
【図５】植生後における図４の擁壁の正面図。
【図６】本発明の擁壁の一実施形態の部分拡大正面図。
【図７】（ａ）は図６の擁壁におけるＣ−Ｃ拡大断面図、（ｂ）は図６の擁壁におけるＤ−Ｄ拡大断面図、（ｃ）は図６の擁壁におけるＥ−Ｅ拡大断面図、（ｄ）は図６の擁壁におけるＦ−Ｆ拡大断面図、（ｅ）は図６の擁壁におけるＧ−Ｇ拡大断面図。
【図８】（ａ）、（ｂ）、（ｃ）、（ｄ）及び（ｅ）は本発明のコンクリートブロックの変更例。
【発明を実施するための形態】
【００２２】
以下、本発明の一実施形態について図面を参照しつつ説明する。
【００２３】
図１は、本発明の一実施形態として擁壁構築用のコンクリートブロック１００を示す斜視図である。コンクリートブロック１００は、正面視及び側面視において矩形状、及び、平面視において略Ｔ字形状であり、前方部１１０とその後方に一体的に設けられた控え部１２０とからなる。当該前方部１１０は、擁壁の表面を構成する表面部１１１と、その後方に位置する後背部１１２とを有する。さらに、表面部１１１の各々の表面が自然の岩肌に見えるように、外周縁の角部の面取り加工及び表面加工がされている。そして、後背部１１２の背面から延在する控え部１２０が法面上（図示せず）に配置されて、複数のコンクリートブロック１００で擁壁が構築される。
【００２４】
図２に示すとおり、表面部１１１の外周縁の一部に切り欠き部１１３が形成され、後背部１１２と切り欠き部１１３により段差が形成される。切り欠き部１１３は表面部１１１の外周縁を不規則に成形加工等することで形成される。当該段差において、表面部１１１の側壁に沿うようにして切り欠き部１１３に溝部１１５が切り込み形成される。他方、切り欠き部１１３が形成されていないところで、表面部１１１の外周の側壁において相対的に隆起する堰止め部１１４が形成される。本実施形態において、コンクリートブロック１００同士を積み上げたときに、隣接する外周縁が接するように、即ち、堰止め部１１４同士が接することができるように、堰止め部１１４が３箇所形成されている。後述するように、堰止め部１１４は、擁壁２００から植生土が流出するのを防止する。なお、堰止め部１１４の位置及び数は限定されず、堰止め部１１４をランダムに形成することができる。
【００２５】
図３（ａ）に、図２（ｂ）のＡ−Ａ拡大断面図を示す。切り欠き幅ｓを有する切り欠き部１１３が形成され、さらに、溝部１１５が当該切り欠き部１１３（表面部１１１の側壁）において断面視略Ｖ字形に切り込み形成されている。溝部１１５は、その溝部開口から深さ方向に向かうほど幅が狭くなっていき、一度、植生土等が入り込むと再度そこから流出することを防止することができる。図３（ｂ）に、図２（ｂ）のＢ−Ｂ拡大断面図を示す。ここでは、切り込み部１１３及び溝部１１５が形成されておらず、堰き止め部１１４を有する。
【００２６】
溝部１１５は、表面部１１１の平面方向に向けて深さｄを有する。河川等に生える植物の根の太さは１〜５ｍｍであり、十分な植生の効果を期待するのには、後述するポケット部の幅ｕが５ｍｍ以上となるように深さｄは２．５ｍｍ以上であるのが好ましい。
【００２７】
他方、深さｄを２０ｍｍ以上にすると、後述するように、コンクリートブロック１００の表面部１１１において、相対的に強度が弱い部分の面積が広くなり、擁壁構築の施工が困難になる場合がある。
【００２８】
一般に、擁壁構築の施工時において、ブロック表面及び背面部をハンマーで叩いてブロックの位置調整をするが、肉薄部分に衝撃を与えるとブロックに割れや亀裂などの欠陥を生じ易い。本発明のコンクリートブロック１００は、上述したように溝部１１５及び堰止め部１１４により植生土を効率的に保持するので、植生空間の容量を大きくする必要がなく、表面部１１１を肉厚にすることができ、従来のブロックより擁壁構築の施工が比較的容易である。
【００２９】
また、壁高５ｍ以下の小規模な擁壁を構築する場合には、ブロック自体を小型、即ち肉薄（例えばブロック厚３５０ｍｍ）にしなければならないが、擁壁の強度を確保するために、ブロックを所定重量（例えば３５０ｋｇ／ｍ２）に作製することが、安全性の観点から求められている。このため、従来の小型ブロックでは、植生に必要な空間を設けるために、表面部に大きな切り欠きや溝又は孔といった植生空間を形成すると、擁壁構築のための強度（重量）を確保することができなくなり、植生可能な小型の擁壁を構築することが非常に困難であったが、本発明のブロック１００を用いることで、このような擁壁の構築が可能となる。
【００３０】
しかし、コンクリートブロック１００を小型とした場合には、溝部１１５が形成される部分が他の部分と比べて相対的に脆くなるため、擁壁構築の施工時にハンマーで叩くとブロックに欠陥を生じ易くなる。つまり、溝部１１５の深さｄを例えば２０ｍｍより大きくすると、ハンマーで叩くことができる表面部１１１の範囲が狭くなって、コンクリートブロックの位置調整が困難になり、逆に、深さｄを例えば２０ｍｍ以下に小さくすると、ハンマーで叩くことができる範囲が広くなって、必要な強度を有するように表面部１１１の厚さを維持しつつ、即ち、擁壁構築の施工性を担保することが可能となる。従って、深さｄは十分な植生効果と強度とを両立させるために、２．５ｍｍ以上２０ｍｍ以下であることが好ましい。
【００３１】
なお、本実施形態におけるコンクリートブロックの寸法は、ブロック厚ｌ１は３５０ｍｍ、前方部の厚さｌ２は、８０ｍｍ、溝部１１５の幅ｗは９ｍｍ、溝部１１５の深さｄは５ｍｍであるが、当該実施形態に限定されず、各種擁壁を構築するのに適したサイズにすることができる。
【００３２】
本実施形態のコンクリートブロック１００は、流し込み方式や即時脱型方式等の当業者にとって自明な手段によって製造可能である。ここでは、コンクリートブロック１００の材料として普通コンクリートが用いられているが、ポーラスコンクリートやその他の代替材料とすることもできる。また、控え部の形状はどのような形状であってもよく、控え部が左右にオフセットされた自立タイプのものであってもよい。
【００３３】
図４は、本発明のコンクリートブロック１００を積み上げて構築された擁壁２００の正面図を示し、図５は、植生後の擁壁２００の正面図を示す。地面に対して任意の角度で傾斜する法面（図示せず）に沿ってコンクリートブロック１００が谷積みに積み上げられることで、擁壁２００は構築される。
【００３４】
コンクリートブロック１００を谷積みにすることで、表面部１１１の側壁が傾斜して配置され、溝部１１５の開口部が擁壁上方を向くことによって、擁壁上部から流れてくる浮遊土質を誘導して溝部１１５内に取り込み易いという利点が生じる。しかしながら、必要性に応じて、布積みにより、表面部１１１の側壁が傾斜しないように擁壁を構築することも可能である。
【００３５】
また、図４及び５に示すとおり、切り欠き部１１３が表面部１１１の外周縁に不規則に形成され、且つ、コンクリートブロック１００が右向き、左向き、上下反転等のランダムに積まれているので、擁壁２００は自然石積み状の外観と植生空間を有する。
【００３６】
隣接するコンクリートブロック１００間において、隣接する後背部１１２同士が接し、一方の切り欠き部１１３と他方の切り欠き部１１３又は堰止め部１１４とによって隙間部２０１を形成する。図５に草花Ｆを植生した擁壁２００を示すが、隙間部２０１に植生土Ｐを充填し又は自然堆積させて、隙間部２０１を植生空間又は生物棲息空間とすることができる。なお、植生土Ｐのかわりに、植生マットなどのような植生資材を充填すること、或いは、水中に擁壁を設置する場合には何も充填せずに水棲生物の生息空間とすることも可能である。
【００３７】
図６に示すとおり、隣接するコンクリートブロック１００間において、隙間部２０１は当接部２０２によって他の隙間部２０１と遮断されている。即ち、隙間部２０１が非連続的に形成されていることにより、図中の矢印のように擁壁２００の上から下へ流れる植生土Ｐを当接部２０２が効果的に堰き止め、植生土Ｐの流出を抑止する。
【００３８】
図７（ａ）は図６に示す擁壁２００のＣ−Ｃ断面を示し、図７（ｂ）は擁壁２００のＤ−Ｄ断面を示す。Ｃ−Ｃ断面において隣接するコンクリートブロック１００間では、堰止め部１１４同士が接して当接部２０２を形成し、隙間部２０１を生じない。他方、Ｄ−Ｄ断面において隣接するコンクリートブロック１００間では、両方の切り欠き部１１３によって隙間部２０１が形成される。また、Ｖ字形状の溝部１１５が両方の切り欠き部１１３（表面部１１１の側壁）にそれぞれ形成されているので、隙間部２０１は最深位置において幅ｕ（＝２（ｓ＋ｄ））を有する。
【００３９】
隙間部２０１の幅が狭まっていくにつれ、切り欠き幅ｓが減少していく。そして、図７（ｃ）に示すとおり、切り欠き幅ｓが０に近づいたＥ−Ｅ断面において、ブロック前面に実質的に開口を有さないポケット部が溝部１１５によって形成される。このとき、当該ポケット部の幅ｕは２ｄとなる。これによって、植生土を最小のポケット部に閉じ込めて、流出を防止することができる。
【００４０】
また、図７（ｄ）は、図６に示す擁壁２００のＦ−Ｆ断面を示しており、図７（ｅ）は、Ｇ−Ｇ断面を示している。Ｆ−Ｆ断面において隣接するコンクリートブロック１００間では、切り欠き部１１３と堰止め部１１４とで隙間部２０１を形成している。一方、切り欠き幅ｓが０に近づいたＧ−Ｇ断面においては、ブロック前面に実質的に開口を有さないポケット部が溝部１１５と堰き止め部１１４によって形成される。このとき、当該ポケット部の幅ｕはｄである。このように、切り欠き部１１３と堰き止め部１１４で形成された隙間部２０１においても同様に、植生土を最小のポケット部に閉じ込めて流出を防止することができる。
【００４１】
上述したように、本実施形態の擁壁２００は、植生土Ｐを効果的に保持することを可能な溝部１１５及び堰止め部１１４（当接部２０２）を有する隙間部２０１を植生空間として備え、かつ、隙間部２０１が非連続的に形成されていることにより、隙間部２０１から流出しないように植生土Ｐを効率的に保持することができる。従って、隙間部２０１の容量を小さくしてコンクリートブロック１００の表面部１１１の肉厚部分の割合を大きくとることができ、擁壁２００は高い強度と植生空間を両立する。さらに擁壁２００を構築する施工時においても、ハンマー等で叩いて位置調整可能なコンクリートブロック表面の範囲が広がるので、擁壁２００を容易に構築することができる。
【００４２】
（変形例１）
本発明のコンクリートブロック及び擁壁は上述した実施形態に限られない。例えば、図８（ａ）及び（ｂ）のコンクリートブロック１００Ａ及び１００Ｂのように、平面視５角形とすることができる。コンクリートブロック１００と当該コンクリートブロック１００Ａ及び１００Ｂを組み合わせて擁壁を構築することによって、より自然な状態の外観を有する擁壁を造り出すことができる。
【００４３】
（変形例２）
例えば、図８（ｃ）のコンクリートブロック１００Ｃのように、溝部１１５Ｃを切り欠き部１１３Ｃに複数箇所形成しても良い。
【００４４】
例えば、図８（ｄ）のコンクリートブロック１００Ｄのように、溝部１１５Ｄを表面部１１１Ｄの側壁でなく前方部１１０Ｄの厚さ方向に形成しても良い。さらに、図示しないが、溝部を長円形、Ｕ字、矩形などの溝とすることもでき、溝部を有さないものと比較すると植生土Ｐを保持する効果を有する。
【００４５】
（変形例３）
例えば、図８（ｅ）のコンクリートブロック１００Ｅのように、切り欠き部１１５Ｅの形状を、後背部１１２Ｅとの間に段差を有さないように形成しても良く、植生のための隙間部を形成可能であればよい。
【００４６】
なお、本発明は上述した実施形態や変形例に限定されるものではなく、本発明の技術的範囲に属する限りにおいて種々の態様で実施しうるものである。
【符号の説明】
【００４７】
１００    コンクリートブロック
１１０    前方部
１１１    表面部
１１２    後背部
１１３    切り欠き部
１１４    堰き止め部
１１５    溝部
１２０    控え部  
２００    擁壁
２０１    隙間部
Ｐ        植生土
【図１】
2011163040.tif 000003
【図２】
2011163040.tif 000004
【図３】
2011163040.tif 000005
【図４】
2011163040.tif 000006
【図５】
2011163040.tif 000007
【図６】
2011163040.tif 000008
【図７】
2011163040.tif 000009
【図８】
2011163040.tif 000010